(57)【要約】【課題】竪樋を竪樋支持具に仮止めすることができ、竪樋を竪樋支持具に取り付けた後も竪樋の位置調整が可能な竪樋支持構造を提供すること。【解決手段】竪樋本体１１の外面から突出する結合部１２を備えた竪樋１と、建物外壁に固定されて竪樋を支持する竪樋支持具２とを含む竪樋支持構造であって、竪樋支持具は、固定部材３と嵌合部材７とを備え、固定部材が、結合部挟持片６によって竪樋の結合部を保持している状態では竪樋の仮止めが可能であり、竪樋が仮止めされた状態で、嵌合部材を固定部材の結合部挟持片の間に挿入すると、段部嵌合部９が段部５と嵌合し、段部挟持片１０が段部の水平方向の両側部を保持し、突出部が竪樋と当接して、竪樋が竪樋支持具に固定される。【選択図】図１
2018162615.tif 000002
【特許請求の範囲】
【請求項１】
竪樋本体の外面から突出する結合部を備えた竪樋と、建物外壁に固定されて前記竪樋を支持する竪樋支持具とを含む竪樋支持構造であって、
前記竪樋支持具は、固定部材と嵌合部材とを備え、
前記固定部材は、
建物外壁に固定される固定部と、
前記固定部から建物外方側に向かって突出する段部と、
前記固定部の水平方向の両端部から前記竪樋と対向する側に向かって延びる一対の結合部挟持片とを備え、
前記嵌合部材は、
前記竪樋と対向する側に向かって突出する突出部と、
前記突出部の背面側に形成された前記段部と嵌合する段部嵌合部と、
前記段部の水平方向の両側部に向けて延びる一対の段部挟持片とを備え、
前記固定部材が、前記結合部挟持片によって前記竪樋の前記結合部を保持している状態では前記竪樋の仮止めが可能であり、
前記竪樋が仮止めされた状態で、前記嵌合部材を前記固定部材の前記結合部挟持片の間に挿入すると、段部嵌合部が前記段部と嵌合し、前記段部挟持片が前記段部の水平方向の両側部を保持し、前記突出部が前記竪樋と当接して、前記竪樋が前記竪樋支持具に固定されることを特徴とする竪樋支持構造。
【請求項２】
前記結合部は、竪樋本体の外面から突出し、前記竪樋本体の長手方向に沿って平行に延びる２つのリブと、前記リブの先端部に、対向する他方のリブとは反対方向で水平方向に向けて突出する係合爪を備え、
前記固定部材の一対の結合部挟持片の先端部には、各々内側に向けて突出する爪部を備え、
前記係合爪と前記爪部が係合して仮止めされるとともに、前記嵌合部材を前記結合部挟持片の間に挿入し、前記突出部が前記リブの間の前記竪樋本体の外面に当接して、前記竪樋が前記竪樋支持具に固定されることを特徴とする請求項１に記載の竪樋支持構造。
【発明の詳細な説明】
【技術分野】
【０００１】
本発明は、竪樋支持構造に関する。
【背景技術】
【０００２】
従来より、竪樋と、建物外壁に固定されて竪樋を支持する竪樋支持具とを備えた竪樋支持構造が知られている。
【０００３】
例えば、特許文献１の竪樋支持構造では、竪樋に設けられた結合部（突条係止リブの係止部）と竪樋支持具（樋係着部材）の両端の係止片とを係合させることで、竪樋を竪樋支持具に取り付けている。また、この竪樋支持構造では、竪樋支持具（樋係着部材）の中央に設けられた係合片が竪樋の突条係止リブの間に挿入されて係合溝部と対峙している。
【先行技術文献】
【特許文献】
【０００４】
【特許文献１】特開２０００−２４８６９９号公報
【発明の概要】
【発明が解決しようとする課題】
【０００５】
しかしながら、特許文献１の竪樋支持構造の場合、竪樋支持具の両端の係止片と中央に設けられた係合片とによって竪樋の結合部を強く保持する構造であるため、一旦、竪樋を竪樋支持具に取り付けると、竪樋の位置調整を行うのが難しいという問題があった。
【０００６】
本発明は、上記従来の問題点に鑑みてなされたものであり、竪樋を竪樋支持具に仮止めすることができ、竪樋を竪樋支持具に取り付けた後も竪樋の位置調整が可能な竪樋支持構造を提供することを課題としている。
【課題を解決するための手段】
【０００７】
本発明は、上記の課題を解決するために、以下のことを特徴としている。
【０００８】
すなわち、本発明の竪樋支持構造は、竪樋本体の外面から突出する結合部を備えた竪樋と、建物外壁に固定されて前記竪樋を支持する竪樋支持具とを含む竪樋支持構造であって、前記竪樋支持具は、固定部材と嵌合部材とを備え、前記固定部材は、建物外壁に固定される固定部と、前記固定部から建物外方側に向かって突出する段部と、前記固定部の水平方向の両端部から前記竪樋と対向する側に向かって延びる一対の結合部挟持片とを備え、前記嵌合部材は、前記竪樋と対向する側に向かって突出する突出部と、前記突出部の背面側に形成された前記段部と嵌合する段部嵌合部と、前記段部の水平方向の両側部に向けて延びる一対の段部挟持片とを備え、前記固定部材が、前記結合部挟持片によって前記竪樋の前記結合部を保持している状態では前記竪樋の仮止めが可能であり、前記竪樋が仮止めされた状態で、前記嵌合部材を前記固定部材の前記結合部挟持片の間に挿入すると、段部嵌合部が前記段部と嵌合し、前記段部挟持片が前記段部の水平方向の両側部を保持し、前記突出部が前記竪樋と当接して、前記竪樋が前記竪樋支持具に固定されることを特徴としている。
【発明の効果】
【０００９】
本発明の竪樋支持構造によれば、竪樋を竪樋支持具に仮止めすることができ、竪樋を竪樋支持具に取り付けた後も竪樋の位置調整を行うことができる。
【図面の簡単な説明】
【００１０】
【図１】本発明の竪樋支持構造の一実施形態を例示した斜視図である。
【図２】図１に示す竪樋支持具の固定部材の一実施形態を示した斜視図である。
【図３】図１に示す竪樋支持具の嵌合部材の一実施形態を示した斜視図であり、（Ａ）は前方側から見た斜視図であり、（Ｂ）は後方側から見た斜視図である。
【図４】（Ａ）は固定部材に嵌合部材を嵌合させた状態を示す斜視図であり、（Ｂ）は断面図である。
【図５】図１〜図４に示す竪樋支持構造の一実施形態において、竪樋を竪樋支持具に仮止めした状態を示す水平方向の断面図である。
【図６】図５に示す実施形態において、竪樋を竪樋支持具に固定した状態を示す水平方向の断面図である。
【図７】本発明の竪樋支持構造の他の実施形態において、竪樋を竪樋支持具に仮止めした状態を示す水平方向の断面図である。
【図８】図７に示した実施形態において、竪樋を竪樋支持具に固定した状態を示す水平方向の断面図である。
【発明を実施するための形態】
【００１１】
図１は、本発明の竪樋支持構造の一実施形態を例示した斜視図である。図２は、図１に示す竪樋支持具の固定部材の一実施形態を示した斜視図である。図３は、図１に示す竪樋支持具の嵌合部材の一実施形態を示した斜視図であり、（Ａ）は前方側から見た斜視図であり、（Ｂ）は後方側から見た斜視図である。図４（Ａ）は固定部材に嵌合部材を嵌合させた状態を示す斜視図であり、図４（Ｂ）は断面図である。
【００１２】
本実施形態の竪樋支持構造は、竪樋本体１１の外面から突出する結合部１２を備えた竪樋１と、建物外壁に固定されて竪樋１を支持する竪樋支持具２とを含む。
【００１３】
竪樋支持具２は、固定部材３と嵌合部材７とを備えている。固定部材３は、建物外壁に固定される固定部４と、固定部４から建物外方側に向かって突出する段部５と、固定部４の水平方向の両端部から竪樋１と対向する側に向かって延びる一対の結合部挟持片６とを備えている。
【００１４】
また、嵌合部材７は、竪樋１と対向する側に向かって突出する突出部８と、突出部８の背面側に形成された段部５と嵌合する段部嵌合部９と、段部５の水平方向の両側部に向けて延びる一対の段部挟持片１０とを備えている。
【００１５】
そして、固定部材３が、結合部挟持片６によって竪樋１の結合部１２を保持している状態では竪樋１の仮止めが可能である。また、竪樋１が仮止めされた状態で、嵌合部材７を固定部材３の結合部挟持片６の間に挿入すると、段部嵌合部９が段部５と嵌合し、段部挟持片１０が段部５の水平方向の両側部を保持し、突出部８が竪樋１と当接して、竪樋１が竪樋支持具２に固定される。
【００１６】
本実施形態の竪樋支持構造では、結合部１２は、竪樋本体１１の外面から突出し、竪樋本体１１の長手方向に沿って平行に延びる２つのリブ１２ａを備えていることが好ましい。また、リブ１２ａの先端部に、対向する他方のリブ１２ａとは反対方向で水平方向に向けて突出する係合爪１２ｂを備えていることが好ましい。また、固定部材３の一対の結合部挟持片６の先端部には、各々内側に向けて突出する爪部６１を備えていることが好ましい。
【００１７】
そして、係合爪１２ｂと爪部６１が係合して仮止めされるとともに、嵌合部材７を結合部挟持片６の間に挿入し、突出部８がリブ１２ａの間の竪樋本体１１の外面に当接して、竪樋１が竪樋支持具２に固定されることが好ましい。
【００１８】
以下、本発明の竪樋支持構造の一実施形態について図面とともに詳しく説明する。
【００１９】
竪樋１は、図１に示すように、竪樋本体１１と結合部１２とを備えている。竪樋本体１１は、縦長の略円筒状に形成されており、結合部１２は、竪樋本体１１の外面から突出する２つのリブ１２ａが互いに対向している。リブ１２ａは竪樋本体１１の長手方向に沿って延びており、互いに平行である。リブ１２ａの先端部には、対向する他方のリブ１２ａとは反対方向かつ水平方向に突出する係合爪１２ｂが設けられている。
【００２０】
また、本実施形態の竪樋支持具２は、固定部材３と嵌合部材７とを備えている。固定部材３は、図２に示すように、固定部４と、段部５と、一対の結合部挟持片６とを備えている。
【００２１】
固定部４は、固定部材３を建物外壁に固定するために設けられ、矩形形状を有している。固定部４には、ネジ等の固定具を挿入するための挿入孔４１が形成されており、固定部４を建物外壁に当接させ、挿入孔４１に固定具を挿入することで建物外壁に固定部材３を固定することができる。
【００２２】
段部５は、固定部４の中央部から建物外方側に向かって突出するように形成され、挿入した嵌合部材７を保持させ、下方への抜けを防止するために設けられている。段部５は、上部から下部に向けてに傾斜する傾斜面５１とその下部に垂直面５２を有している。垂直面５２の上部に傾斜面５１を形成することにより、嵌合部材７を上方からスムーズに挿入することができる。
【００２３】
結合部挟持片６は、固定部４の水平方向の両端部から竪樋１と対向する側に向かって延びるように左右に一対設けられている。また、一対の結合部挟持片６は互いに略平行であり、先端部には、各々内側に向かって屈曲する爪部６１が形成されている。一対の結合部挟持片６の間隔は、竪樋１の結合部１２の係合爪１２ｂと係合可能な間隔である。また、結合部挟持片６の材質は、仮止めのための強度を有するとともに、係合爪１２ｂに爪部６１が係りやすいように多少撓る材質で形成するのが望ましい。
【００２４】
嵌合部材７は、固定部材３が竪樋１を仮止めした状態において、固定部材３の一対の結合部挟持片６の間に上方から挿入して竪樋１を固定する部材であり、図３（Ａ）、図３（Ｂ）に示すように、突出部８と、段部嵌合部９と、段部挟持片１０とを備えている。
【００２５】
突出部８は、竪樋１と対向する側に向かって突出するように設けられており、突出部８の先端側には、垂直方向に平坦な当接面８１が形成されている。突出部８の突出寸法は、嵌合部材７を挿入した状態において、当接面８１が軒樋本体１１の外面に当接する寸法に設定されている。
【００２６】
段部嵌合部９は、突出部８の背面側に形成されており、その形状は、図４（Ａ）、図４（Ｂ）に示すように、嵌合部材７を挿入した状態で、固定部材３の段部５と嵌合する形状となっている。段部嵌合部９と固定部材３の段部５とが嵌合することにより、嵌合部材７を安定して固定することができる。
【００２７】
段部挟持片１０は、段部５の水平方向の両側部に向けて下方に延びるように、左右に一対設けられている。また、一対の段部挟持片１０は互いに略平行であり、先端部には、各々内側に向かって屈曲する嵌合爪部１０１が形成されている。一対の段部挟持片１０の間隔は、段部５の左右側面を保持することが可能な間隔であり、段部挟持片１０の材質は、段部５の下端部に嵌合爪部１０１が係りやすいように多少撓る材質で形成するのが望ましい。
【００２８】
図５は、図１〜図４に示した竪樋支持構造の一実施形態において、竪樋１を竪樋支持具２に仮止めした状態を示した水平方向の断面図である。また、図６は、図５に示した実施形態において、竪樋１を竪樋支持具２に固定した状態を示した水平方向の断面図である。
【００２９】
図５に示す状態では、固定部材３の結合部挟持片６の爪部６１が竪樋１の結合部１２の係合爪１２ｂを保持して竪樋１を仮止めしている。
【００３０】
この状態は、固定部材３と竪樋本体１１の間に嵌合部材７は挿入、固定されておらず、結合部１２に対する爪部６１の左右からの挟持力のみにより保持された仮止めの状態である。そのため、竪樋１を上下に動かすことができ、位置調整を容易に行うことができる。なお、竪樋１の「仮止め」とは、竪樋支持具２の固定部材３によって保持されているが、竪樋１を上下に動かすことができる状態をいう。
【００３１】
次に、竪樋１が仮止めされた状態（図５の状態）で、固定部材３と竪樋本体１１の間に上方から嵌合部材７を挿入すると、図６に示すように、突出部８の当接面８１が結合部１２の２つのリブ１２ａの間の竪樋本体１１外面と当接する。また、一対の段部挟持片１０が段部５の左右両側面を保持するとともに、嵌合爪部１０１が段部５の下端部を係止する。これにより、竪樋１は、一対の結合部挟持片６の各爪部６１と突出部８の当接面８１との３点によって安定に固定される。
【００３２】
なお、例えば、竪樋１を保持せず、嵌合部材７を単独で固定部材３の上方から挿入させた場合でも、一対の段部挟持片１０が段部５の左右側面を保持するとともに、嵌合爪部１０１が段部５の下端部を係止している。そのため、嵌合部材７が固定部材３から脱落することが抑制されている。
【００３３】
本実施形態の竪樋支持構造では、図５に示す竪樋１の仮止め状態から、嵌合部材７を固定部材３と竪樋本体１１の間に上方から挿入するだけで、竪樋１を固定することができる（図６）。そのため、竪樋１の仮止め状態で位置調整を行った後、竪樋１を固定する作業をスムーズに行うことができる。
【００３４】
以上、本発明の竪樋支持構造を一実施形態に基づいて説明したが、本発明は上記の実施形態に限定されるものではなく、その要旨を逸脱しない範囲内において種々の変形、変更が可能である。
【００３５】
例えば、上記実施形態では、竪樋１には、図１、図５、図６に示すように竪樋本体１１の長手方向に沿って延びるリブ１２ａと、各々のリブ１２ａの先端部から左右に突出する係合爪１２ｂからなる結合部１２を設けたが、他の形状の結合部１２とすることもできる。
【００３６】
具体的には、例えば、図７に示すように、竪樋１の結合部１２が、竪樋本体１１から突出する接続部１２ｃと、接続部１２ｃの突出方向と直交させ、垂直方向に長尺な板状部１２ｄとを設けた結合部１２とすることができる。
【００３７】
図７に示す、竪樋１の板状部１２ｃの両端部が固定部材３の結合部挟持片６の爪部６１によって保持されている仮止めの状態では、固定部材３は挿入されておらず、板状部１２ｄの平面部は押さえられていない。したがって、この状態では、竪樋１は、結合部挟持片６の爪部６１のみによって仮止めされており、竪樋１を上下に動かすことができるため、位置調整を容易に行うことができる。
【００３８】
そして、図７に示す竪樋１の仮止め状態から、固定部材３と竪樋本体１１の間に上方から嵌合部材７を挿入すると、図８に示すように、突出部８の当接面８１が結合部１２の板状部１２ｄと当接するため、竪樋１は、一対の結合部挟持片６の各爪部６１と突出部８の当接面８１との３点によって安定に固定される。
【００３９】
即ち、本実施形態の樋支持構造においても、図７に示す竪樋１の仮止め状態から、嵌合部材７を固定部材３と竪樋本体１１の間に上方から挿入するだけで、竪樋１を固定することができる（図８）。そのため、竪樋１の仮止め状態で位置調整を行った後、竪樋１を固定する作業をスムーズに行うことができる。
【符号の説明】
【００４０】
１    竪樋
１１  竪樋本体
１２  結合部
１２ａ  リブ
１２ｂ  係合爪
２    竪樋支持具
３    固定部材
４  固定部
５  段部
６  結合部挟持片
６１  爪部
７  嵌合部材
８  突出部
９  段部嵌合部
１０  段部挟持片
【図１】
2018162615.tif 000003
【図２】
2018162615.tif 000004
【図３】
2018162615.tif 000005
【図４】
2018162615.tif 000006
【図５】
2018162615.tif 000007
【図６】
2018162615.tif 000008
【図７】
2018162615.tif 000009
【図８】
2018162615.tif 000010